(57)【要約】  水晶体嚢内に設けられる眼内レンズ組立体において、中心部の厚さが前記中心部周辺の厚さより薄い第１オプテック体、及び前記第１オプテック体と結合され中心部の厚さが前記第１オプテック体よりさらに厚い第２オプテック体を含むオプテック部、及び前記オプテック部みに連結する連結台と、前記連結台の外周と連結する第１支持台を含むヘプテック部で構成される眼内レンズ；及び前記水晶体嚢の赤道部に沿って延長される構造体であり、前記水晶体嚢の内面と少なくとも一点で接触する第１面と、前記眼内レンズの第１支持台と少なくとも一点で接触する第２面を有し、前記構造体を水晶体の視軸方向の仮想平面に沿って切断した断面において、前記第１面は前記水晶体嚢の外面に毛樣小帶が連結された領域の長さ（ｄ５）の少なくとも３／４倍〜３倍の長さに設けられる眼内レンズ支持体を含むことを特徴とする。
2010520011.tif 000002
【特許請求の範囲】
【請求項１】
水晶体嚢内部に挿入される眼内レンズ組立体において、
中心部の厚さが前記中心部周辺の厚さより薄い第１オプテック体及び前記第１オプテック体と結合され、少なくとも中心部での厚さが前記第１オプテック体と同一またはより厚い第２オプテック体を含むオプテック部；及び
前記オプテック部に連結される連結台と、前記連結台の外周と連結される第１支持台を含むヘプテック部を含んで構成される眼内レンズ；及び
前記水晶体嚢の赤道部に沿って延長される構造体であって、前記水晶体嚢の内面と少なくとも一点で接触する第１面と、前記眼内レンズの第１支持台と少なくとも一点で接触する第２面とを含み、
前記構造体を水晶体視軸方向（Ｙ方向）の仮想平面に沿って切断した断面において、
前記第１面は前記水晶体嚢の外面に毛樣小帶が連結された領域の長さ（ｄ５）の少なくとも３／４倍〜３倍の長さで設けられる眼内レンズ支持体；を含む眼内レンズ組立体。
【請求項２】
前記第１オプテック体が前記第２オプテック体より柔軟な材質になされたことが特徴である、請求項１に記載の眼内レンズ組立体。
【請求項３】
前記第１オプテック体は内面及び外面を含んで、前記内面及び前記外面は球面または非球面であり、前記内面は前記外面より曲率がより大きい球面でありまたはより非球面であることを特徴とする、請求項１に記載の眼内レンズ組立体。
【請求項４】
前記第１支持台が前記水晶体嚢の内面に接触する面は丸い形状を持つのを特徴とする、請求項１に記載の眼内レンズ組立体。
【請求項５】
前記連結台はオプテック部の外周の少なくとも二つ以上の区間で連結された支柱形状構造体であることを特徴とする、請求項１に記載の眼内レンズ組立体。
【請求項６】
前記第１支持台は前記連結台の支柱の端部を少なくと２つ以上連結することを特徴とする、請求項５に記載の眼内レンズ組立体。
【請求項７】
前記第１支持台は前記連結台の支柱の端部の全部を連結する環形構造体であることを特徴とする、請求項５に記載の眼内レンズ組立体。
【請求項８】
前記ヘプテック部の前記第１支持台は前記支柱よりさらに柔軟性のある材料で構成されて、前記オプテック部は前記第１支持台よりさらに柔軟性のある材料で構成されることを特徴とする、請求項５に記載の眼内レンズ組立体。
【請求項９】
前記支柱の両端部は前記支柱の中央より断面積が大きいことを特徴とする、請求項５に記載の眼内レンズ組立体。
【請求項１０】
前記支柱のオプテック部側の端部には前記オプテック部側の端部を連結する環形の第２支持台をさらに設けることを特徴とする、請求項５に記載の眼内レンズ組立体。
【請求項１１】
前記第２支持台の内面はオプテック部の中心に向けて凹んでいる形状であることを特徴とする、請求項１０に記載の眼内レンズ組立体。
【請求項１２】
前記第２支持台はオプテック部の外周に形成されたことを特徴とする、請求項１０に記載の眼内レンズ組立体。
【請求項１３】
前記第２支持台はオプテック部の内部に含まれたことを特徴とする、請求項１０に記載の眼内レンズ組立体。
【請求項１４】
前記連結台は前記オプテック部の外周の全区間で連結されたディスク形状構造体であることを特徴とする、請求項１に記載の眼内レンズ組立体。
【請求項１５】
前記連結台は前記オプテック部の外周の少なくとも二つ以上の区間で連結され、分割されたディスク形状構造体であることを特徴とする、請求項５に記載の眼内レンズ組立体。
【請求項１６】
前記第１支持台はディスク形状の連結台の端部の外周に形成されることを特徴とする、請求項１４または第１５項に記載の眼内レンズ組立体。
【請求項１７】
前記オプテック部と前記第１支持台は前記連結台より柔軟な材料でなされたことを特徴とする、請求項１に記載の眼内レンズ組立体。
【請求項１８】
前記オプテック部と前記第１支持台が前記連結台と同一の材料でなされ、前記連結台より薄い厚さで構成されることが特徴である、請求項１に記載の眼内レンズ組立体。
【請求項１９】
前記第１支持台は前記連結台の端部に沿って延長される構造体であり、前記第１支持台が前記眼内レンズ支持体の内面と接触する面は前記支持体の内面の形状と一致することを特徴とする、請求項１に記載の眼内レンズ組立体。
【請求項２０】
前記眼内レンズ内には流動空間がさらに設けられることを特徴とする、請求項１に記載の眼内レンズ組立体。
【請求項２１】
前記流動空間は少なくとも前記第１オプテック体と前記第２オプテック体との間には設けられることを特徴とする、請求項２０に記載の眼内レンズ組立体。
【請求項２２】
前記流動空間は前記第１オプテック体と前記第２オプテック体との間に設けられる第１空間部、前記連結台の内部に設けられる第２空間部、及び前記第１支持台の内部に設けられる第３空間部を含むことを特徴とする、請求項２０に記載の眼内レンズ組立体。
【請求項２３】
前記第１空間部、前記第２空間部、及び前記第３空間部はお互いに連結されたことを特徴とする、請求項２２に記載の眼内レンズ組立体。
【請求項２４】
前記流動空間には液体、気体及び流動性固体で構成される群から選ばれるいずれか一つが充填されることを特徴とする、請求項２０に記載の眼内レンズ組立体。
【請求項２５】
前記液体は水、シリコーン、ヒアルロン酸ナトリウム、コーンドロイチン硫酸、ヒドロキシプロピルメチルセルロース及びポリアクリルアミドよりなる群から選ばれるいずれか一つであることを特徴とする、請求項２４に記載の眼内レンズ組立体。
【請求項２６】
前記気体は空気、窒素、ヘリウム、ネオン及びアルゴンで構成される群から選ばれるいずれか一つであることを特徴とする、請求項２４に記載の眼内レンズ組立体。
【請求項２７】
前記第１空間部の形状は少なくとも一面が膨らんでいる凸レンズ形状で形成されることを特徴とする、請求項２２に記載の眼内レンズ組立体。
【請求項２８】
前記第１空間部の形状は少なくとも一面が非球面である凸レンズ形状で形成されることを特徴とする、請求項２２に記載の眼内レンズ組立体。
【請求項２９】
前記第２オプテック体は中心部の厚さが周辺の厚さより薄いことを特徴とする、請求２１に記載の眼内レンズ組立体。
【請求項３０】
前記第２オプテック体は内面及び外面を含み、前記内面及び前記外面は球面または非球面であり、前記内面は前記外面よりさらに曲率が大きいことを特徴とする、請求項２１に記載の眼内レンズ組立体。
【請求項３１】
前記第１オプテック体及び第２オプテック体は同一の厚さであり、それぞれの中心部から周辺に行くほど厚くなる区間を含むことを特徴とする、請求項２２に記載の眼内レンズ組立体。
【請求項３２】
前記眼内レンズ及び眼内レンズ支持体の材料はシリコーン、シリコーンエラストマ、シリコーン  ポリマー、ポリジメチルシロキサン、ポリプロピレン、ポリイミド、ポリブテステル、ＰＭＭＡ（ｐｏｌｙｍｅｔｈｙｌ  ｍｅｔｈａｃｒｙｌａｔｅ）、マイクロプレクス  ＰＭＭＡ、ＣＱ−ＵＶ  ＰＭＭＡ、アクリル樹脂、硬性アクリル、柔軟性アクリル、アクリルプラスチック、疎水性アクリル、親水性アクリル、親水性アクリル高分子、紫外線吸収アクリレート、メタクリレートコポリマー、ブチルアクリレート、ポリシロキサンエラストマー、紫外線吸収ポリシロキサン、コラーゲンコポリマー、金、ヒドロゲル、ＨＥＭＡ（２−ｈｙｄｒｏｘｙｅｔｈｙｌ  ｍｅｔｈａｃｒｙｌａｔｅ）、ＭＭＡ（ｍｅｔｈｙｌ  ｍｅｔｈａｃｒｙｌａｔｅ）、ＣＡＢ（ｃｅｌｌｕｌｏｓｅ  ａｃｅｔａｔｅ  ｂｕｔｙｌａｔｅ）、２−ＨＡＭＡ（２−ｈｙｄｒｏｘｙ  ｅｔｈｙｌ  ｍｅｔｈａｃｒｙｌａｔｅ）、ＮＶＰ（ｎ−ｖｉｎｙｌ  ｐｙｒｒｏｌｉｄｏｎｅ）、ＰＶＰ（ｐｏｌｙｖｉｎｙｌ  ｐｙｒｒｏｌｉｄｏｎｅ）、ＭＡ（ｍｅｔｈａｃｒｙｌｉｃ  ａｃｉｄ）、ＧＭＡ（ｇｌｙｃｅｒｏｌ  ｍｅｔｈａｃｒｙｌａｔｅ）、ＤＭＳ（ｄｉｍｅｔｈｙｌ  ｓｉｌｏｘａｎｅ）、ＰＨＥＭＡ（ｐｏｌｙｈｙｄｒｏｘｙｅｔｈｙｌ  ｍｅｔｈａｃｒｙｌａｔｅ）、ＰＥＧＭＭＡ（ｐｏｌｙｅｔｈｙｌｅｎｅｈｌｙｃｏｌ  ｍｅｔｈａｃｒｙｌａｔｅ）、ポリＨＥＭＡヒドロゲル、紫外線吸収ポリＨＥＭＡヒドロゲル、シリコーンヒドロゲル、ＧＭＡ／ＨＥＭＡ、ＨＥＭＡ／ＰＶＰ／ＭＡ、ＰＶＡ、ＨＥＭＡ／ＰＶＡ／ＭＡ、ＨＥＭＡ／ＰＶＡ／ＭＭＡ、ＨＥＭＡ／ＭＭＡ、ＨＥＭＡ／ＮＶＰ、ＨＥＭＡ／ＮＶＰ／ＭＡ、ＨＥＭＡ／ＮＶＰ／ＭＭＡ、ＨＥＭＡ／Ａｃｒｙｌ及びＨＥＭＡ／ＰＣよりなる群から選ばれるいずれか一つで構成されることを特徴とする、請求項１に記載の眼内レンズ組立体。
【請求項３３】
前記眼内レンズと前記眼内レンズ支持体との間には前記眼内レンズ支持体の第２面と対向する形状の第１面と、前記眼内レンズのヘプテック部外面と対向する形状の第２面を設けた補助支持体をさらに設けている、請求項２７に記載の眼内レンズ組立体。
【請求項３４】
前記第１オプテック体は中心部から周辺に行くほど厚くなる区間を含むことを特徴とする、請求項２９に記載の眼内レンズ組立体．
【請求項３５】
前記第１支持台のオプテック部側に向けた面は支持体に向けた面より厚く形成された区間を含むことを特徴とする、請求項１に記載の眼内レンズ組立体。
【請求項３６】
前記第１支持台のオプテック部側に向けた面は支持体に向けた面より柔軟性の少ない材料で形成された区間を含むことを特徴とする、請求項１に記載の眼内レンズ組立体。
【発明の詳細な説明】
【技術分野】
【０００１】
本発明は眼内レンズ組立体に係り、より詳しくは水晶体嚢（Ｃａｐｓｕｌａｒ  ｓａｃ）内に備えられる眼内レンズ組立体に関することである。
【背景技術】
【０００２】
水晶体に異常がある眼科的疾病、例えば白内障などの治療方法として、水晶体嚢（Ｃａｐｓｕｌａｒ  ｓａｃ）内部にいる水晶体（ｌｅｎｓ）の内容物を除去し、その空間に人工で製造した眼内レンズ（ｉｎｔｒａｏｃｕｌａｒ  ｌｅｎｓ）を挿入する手術が現在全世界的に多く施行されている。
【０００３】
眼内レンズを挿入する場合、眼内レンズは天然水晶体の代わりに患者に混濁ない視野を提供できる。しかし、眼内レンズはいろいろな長所にもかかわらず眼内レンズが挿入された後眼内レンズが挿入された水晶体嚢（Ｃａｐｓｕｌａｒ  ｓａｃ）が手術後収縮になる問題点を持つ。
【０００４】
したがって、最近では眼内レンズの挿入前に水晶体嚢（Ｃａｐｓｕｌａｒ  Ｓａｃ）の赤道領域に水晶体嚢テンションリング（ｃａｐｓｕｌａｒ  ｔｅｎｔｉｏｎ  ｒｉｎｇ）を挿入し、水晶体嚢テンションリング（ｃａｐｓｕｌａｒ  ｔｅｎｔｉｏｎ  ｒｉｎｇ）に眼内レンズを固定させる方法が多く用いられている。
【０００５】
水晶体嚢テンションリング（ｃａｐｓｕｌａｒ  ｔｅｎｔｉｏｎ  ｒｉｎｇ）は開放または閉鎖された環状体であって、水晶体嚢（Ｃａｐｓｕｌａｒ  Ｓａｃ）の収縮を一部緩和し、水晶体レンズの除去された水晶体嚢（Ｃａｐｓｕｌａｒ  Ｓａｃ）の形状を一部維持するうえ、挿入された眼内レンズを容易に支持するという効果がある。
【０００６】
現在、水晶体嚢テンションリング（ｃａｐｓｕｌａｒ  ｔｅｎｔｉｏｎ  ｒｉｎｇ）をさらに效率よく利用するために、水晶体嚢テンションリング（  ｃａｐｓｕｌａｒ  ｔｅｎｔｉｏｎ  ｒｉｎｇ）の挿入を容易にする構造や、後嚢の混濁を防止するための構造等に関する研究が行われている。
【０００７】
ところが、従来の眼内レンズ挿入施術におけるより大きい問題点は手術の後、水晶体嚢（Ｃａｐｓｕｌａｒ  Ｓａｃ）の前嚢と後嚢とがお互いに付着し合って、毛樣小帶（Ｚｏｎｕｌｅ  ｏｆ  Ｚｉｎｎ）の弛緩と収縮を伝達して水晶体の厚さを調節する本来の機能を失なってしまうことである。
【０００８】
すなわち、手術の後、患者の目は見ようとする物体に応じて能動的な３次元運動をして視野を確保するのではなく、眼内レンズで定められる度数による受動的な視野を確保するという問題点を持つ。
【０００９】
以下、添付図面を参照して、従来の技術に係る眼内レンズ挿入施術の問題点について説明する。
【００１０】
図１は人間の眼球を示す断面図、図２は天然水晶体の構造を説明するための断面図である。図１と図２を参照すると、角膜（１０、Ｃｏｒｎｅａ）は目の最も外側にある透明な無血管組織であって、眼球を保護し、水晶体と共に光の屈折を担当する。紅彩（２０、Ｉｒｉｓ）は目に入射する光の量を調節してカメラの絞りと同様の役割を担当する。また、瞳孔（３０、Ｐｕｐｉｌ）は紅彩（２０）の中央に開いている孔であって、明るい光の下では大きさが縮小し、暗い所では大きさが拡大することにより、網膜（４０）に入りこむ光の量を調節する。  
【００１１】
水晶体（５０、ｌｅｎｓ）は凸レンズ状の両面を有し、無血管で無色透明な構造物であって、紅彩（２０）の後ろに位置する。水晶体（５０、ｌｅｎｓ）は角膜（１０）と共に目に入射する光の屈折を担当する器官である。水晶体（５０、ｌｅｎｓ）の形状は、毛様体筋（６０）及びこれに連結された毛樣小帶（７０）の収縮及び弛緩によって変化する。
【００１２】
老眼は年を取るにつれて水晶体（５０）の硬さが毎年増加し、毛様体筋（６０）が収縮しても水晶体（５０）の形状が変わらなくなった状態である。白内障は、年を取るにつれて水晶体（５０）が混濁になる疾病である。  
【００１３】
水晶体（５０）は水晶体嚢（Ｃａｐｓｕｌａｒ  Ｓａｃ）（８０）内に挿入されている。水晶体嚢（Ｃａｐｓｕｌａｒ  Ｓａｃ）（８０）は前嚢（８０ａ，  ａｎｔｅｒｉｏｒ  ｃａｐｓｕｌｅ）と後嚢（８０ｂ，  ｐｏｓｔｅｒｉｏｒ  ｃａｐｓｕｌｅ）からなり、それぞれ水晶体（５０）の前方面（５１）と後方面（５５）に接する。この際、水晶体（５０）の前方面（５１）と後方面（５５）は赤道（Ｅ）でお互いに連結される。各前方面（５１）と後方面（５５）は赤道（Ｅ）からの距離によって中央部（ａ）と赤道部（ｂ）に区分される。前方面（５１）の中央部（ａ）は後方面（５５）の中央部（ａ）より曲率が小さく、前方面（５１）の赤道部（ｂ）は後方面（５５）の赤道部（ｂ）より曲率が大きいという特徴がある。  
【００１４】
水晶体嚢（Ｃａｐｓｕｌａｒ  Ｓａｃ）（８０）の縁部に沿って毛樣小帶（７０）が連結される。毛樣小帶（７０）は毛様体筋（６０）と水晶体嚢（Ｃａｐｓｕｌａｒ  Ｓａｃ）（８０）をお互いに連結する一種の繊維組織であって、水晶体嚢（Ｃａｐｓｕｌａｒ  Ｓａｃ）（８０）の前嚢（８０ａ）と後嚢（８０ｂ）とが出会う赤道部の中央に連結される第１小帯と赤道部の周辺に連結される第２小帯とから構成される。
【００１５】
図２ａ及び図２ｂはそれぞれ遠距離と近距離を注視する時の毛樣小帶、水晶体及び水晶体嚢（Ｃａｐｓｕｌａｒ  Ｓａｃ）の作用を説明するための説明図である。本明細書において、Ｙ方向は水晶体の視軸方向、Ｘ方向は水晶体の赤道方向をそれぞれ意味する。水晶体の視軸方向は瞳孔を介して水晶体（５０）に光が入射する方向であり、水晶体の赤道方向は視軸方向に対して垂直な方向であって、前嚢と後嚢とが出会う地点を連結する方向である。
【００１６】
遠距離を注視するときには、毛樣小帶（７０）のうち  水晶体嚢（Ｃａｐｓｕｌａｒ  Ｓａｃ）（８０）の赤道部の中央に連結される第１小帯（７３）はぴんと張っており、水晶体嚢（Ｃａｐｓｕｌａｒ  Ｓａｃ）（８０）の赤道部の周辺に連結される第２小帯（７１）は緩んでいる。これにより、水晶体嚢（Ｃａｐｓｕｌａｒ  Ｓａｃ）（８０）が水晶体（５０）のＸ方向に伸び、内部に位置した水晶体（５０）も同じ方向に伸びる。
【００１７】
近距離を注視する時には毛樣小帶（７０）のうち水晶体嚢（Ｃａｐｓｕｌａｒ  Ｓａｃ）（８０）の赤道部の中央に連結される第１小帯（７３）は緩んでおり、水晶体嚢（Ｃａｐｓｕｌａｒ  Ｓａｃ）（８０）の赤道部の周辺に連結される第２小帯（７１）はぴんと張っている。これにより、水晶体嚢（Ｃａｐｓｕｌａｒ  Ｓａｃ）（８０）が水晶体（５０）のＹ方向に膨らみ、内部に位置した水晶体（５０）も同じ方向で伸びる。ここで、水晶体（５０）のＹ方向は瞳孔を介して水晶体（５０）に光が入射社する方向であり、Ｘ方向は前記Ｙ方向に対して垂直方向である。
【００１８】
上述したように、天然水晶体を内部に持つ水晶体嚢（Ｃａｐｓｕｌａｒ  Ｓａｃ）（８０）は毛樣小帶（７０）に連結され、能動的で天然水晶体の形状を変形させることに関与するが、従来の技術に係る眼内レンズ及び水晶体嚢テンションリング（ｃａｐｓｕｌａｒ  ｔｅｎｔｉｏｎ  ｒｉｎｇ）を使用する場合、水晶体嚢（Ｃａｐｓｕｌａｒ  Ｓａｃ）は収縮してその機能を実質的に失ってしまう。
【００１９】
特に、毛樣小帶と連結されて水晶体の形状変形に関与する毛様体筋は、死亡時まで疲れずに機能を維持する内臓筋であって、水晶体の損傷があっても毛様体筋の能力は損傷しないという点に鑑みて、健康な毛様体筋の能力を人為的に消滅させる従来方式の改善が切実に求められる。
【００２０】
一方、従来の眼内レンズ及び水晶体嚢テンションリング（ｃａｐｓｕｌａｒ  ｔｅｎｔｉｏｎ  ｒｉｎｇ）は、特許文献１、特許文献２及び特許文献３などの多数の文献に開示されている。
【先行技術文献】
【特許文献】
【００２１】
【特許文献１】米国特許公開番号  第２００６−０２４４９０４号
【特許文献２】米国特許公開番号  第２００６−０００１１８６号
【特許文献３】米国特許公開番号  第２００３−０１４９４７９号
【発明の開示】
【発明が解決しようとする課題】
【００２２】
本発明は、上述した問題点を解決するためのもので、その目的とするところは眼内レンズが天然水晶体の動作と類似な形状変形を持つように構成される眼内レンズ組立体を提供することにある。
【課題を解決するための手段】
【００２３】
上記目的を達成するために、本発明によれば、水晶体嚢（Ｃａｐｓｕｌａｒ  ｓａｃ）  内部に挿入される眼内レンズ組立体において、中心部の厚さが前記中心部の周辺の厚さより薄い第１オプテック（Ｏｐｔｉｃ）体及び前記第１オプテック（Ｏｐｔｉｃ）体と結合され少なくとも中心部において厚さが前記第１オプテック（Ｏｐｔｉｃ）体と同じまたはもっと厚い第２オプテック（Ｏｐｔｉｃ）体を含むオプテック（Ｏｐｔｉｃ）部；及び前記オプテック（ＯＰＴＩＣ）部に繋がれる連結台と、前記連結台の外周と繋がれる第１支持台を含むヘプテック（ＨＡＰＴＩＣ）部を含んで構成される眼内レンズ；及び前記水晶体嚢（Ｃａｐｓｕｌａｒ  ｓａｃ）の赤道部に沿って延長される構造体として、前記水晶体嚢（Ｃａｐｓｕｌａｒ  ｓａｃ）の内面と少なくとも一点で接触する第１面と、前記眼内レンズの第１支持台と少なくとも一点で接触する第２面を有し、前記構造体を水晶体視軸方向（Ｙ方向）の仮想平面に沿って切断した断面で、前記第１面は前記水晶体嚢（Ｃａｐｓｕｌａｒ  ｓａｃ）の外面に毛樣小帶が連結された領域の長さ（ｄ５）の少なくとも３／４倍〜３倍の長さに設けられる眼内レンズ支持体を含むことを特徴とする。
【００２４】
この際、前記第１オプテック（Ｏｐｔｉｃ）体は前記第２オプテック（Ｏｐｔｉｃ）体より柔軟な材質であることが好ましい。
【００２５】
また、前記第１オプテック（Ｏｐｔｉｃ）体は内面及び外面を含んで、前記内面及び前記外面は球面または非球面であり、前記内面は前記外面より曲率がさらに大きい球面であることが好ましい。
【００２６】
また、前記第１支持台が前記水晶体嚢（Ｃａｐｓｕｌａｒ  Ｓａｃ）の内面に接触する面は丸い形状のことが好ましい。
【００２７】
また、前記連結台はオプテック（Ｏｐｔｉｃ）部の外周の少なくとも二つ以上の区間において繋がれた支柱形状構造体であってもよい。
【００２８】
また、前記第１支持台は前記連結台の支柱端部を少なくとも二つ以上連結する構造体であってもよう。
【００２９】
また、前記第１支持台は前記連結台の支柱端部を全部連結する環形構造体であってもよい。
【００３０】
また、前記ヘプテック（ＨＡＰＴＩＣ）部の前記第１支持台は前記支柱よりさらに柔軟性のある材料で構成され、前記オプテック（ＯＰＴＩＣ）部は前記第１支持台よりさらに柔軟性のある材料で構成されてもよい。
【００３１】
また、前記支柱の両端部は前記支柱の中央より断面積が大きいことが好ましい。
【００３２】
また、前記支柱のオプテック（ＯＰＴＩＣ）部側の端部には前記オプテック（ＯＰＴＩＣ）部側の端部を連結する環形の第２支持台をさらに設けることが好ましい。
【００３３】
また、前記第２支持台の内面はオプテック（ＯＰＴＩＣ）部中心に向けて凹んでいる形状であることが好ましい。
【００３４】
また、前記第２支持台はオプテック（ＯＰＴＩＣ）部の外周に形成されてもよい。
【００３５】
また、前記第２支持台はオプテック（ＯＰＴＩＣ）部の内部に含まれてもよい。
【００３６】
また、前記連結台は前記オプテック（ＯＰＴＩＣ）部外周の全区間で連結されたディスク形状構造体であってもよい。
【００３７】
また、前記連結台は前記オプテック（ＯＰＴＩＣ）部の外周の少なくとも二つ以上の区間で連結され、分割されたディスク形状構造体であってもよい。
【００３８】
また、前記第１支持台はディスク形状の連結台の端部の外周に形成されることが好ましい。
【００３９】
また、前記オプテック（Ｏｐｔｉｃ）部と前記第１支持台は前記連結台よりさらに柔軟な材料で構成されることが好ましい。
【００４０】
また、前記オプテック（Ｏｐｔｉｃ）部と前記第１支持台は前記連結台と同様の材料で成され、前記連結台よりさらに薄い厚さで構成されることが好ましい。
【００４１】
また、前記第１支持台は前記連結台の端部に沿って延長される構造体であり、前記第１支持台が前記眼内レンズ支持体の内面と接触する面は前記支持体の内面形状と一致することが好ましい。
【００４２】
また、前記眼内レンズの内には流動空間が設けられることが好ましい。
【００４３】
また、前記流動空間はせめて前記第１オプテック（Ｏｐｔｉｃ）体と前記第２オプテック（Ｏｐｔｉｃ）体との間には設けられることが好ましい。
【００４４】
また、前記流動空間は前記第１オプテック（Ｏｐｔｉｃ）体と前記第２オプテック（Ｏｐｔｉｃ）体との間に設けられる第１空間部、前記連結台の内部に設けられる第２空間部及び前記第１支持台内部に設けられる第３空間部を含んでもよい。
【００４５】
また、前記第１空間部、前記第２空間部、及び前記第３空間部はお互いに繋がれることが好ましい。
【００４６】
また、前記流動空間には液体、気体及び流動性固体よりなる群から選ばれるいずれか一つが充填されることが好ましい。
【００４７】
また、前記第１空間部の形状は少なくとも一面が膨らんでいる凸レンズ形状に形成されることが好ましい。
【００４８】
また、前記第１空間部の形状は少なくとも一面が非球面である非球面凸レンズ形状に形成されることが好ましい。
【００４９】
また、前記第２オプテック（Ｏｐｔｉｃ）体は中心部から赤道部に行くほど厚くなることが好ましい。
【００５０】
また、前記第２オプテック（Ｏｐｔｉｃ）体は内面及び外面を含んで、前記内面及び前記外面は球面または非球面であって、前記内面は前記外面よりさらに曲率が大きい球面またはさらに非球面であることが好ましい。
【００５１】
また、前記第１オプテック（Ｏｐｔｉｃ）体と第２オプテック（Ｏｐｔｉｃ）体は同一の厚さで中心部から赤道部に行くほど厚くなることが好ましい。
【００５２】
また、前記液体は水、シリコーン、ヒアルロン酸ナトリウム（Ｓｏｄｉｕｍ  ｈｙａｌｕｒｏｎａｔｅ）、コーンドロイチン硫酸（Ｃｈｏｎｄｒｏｉｔｉｎ  ｓｕｌｆａｔｅ）、ヒドロキシプロピルメチルセルロース（Ｈｙｄｒｏｘｙｐｒｏｐｙｌ  ｍｅｔｈｙｌｃｅｌｌｕｌｏｓｅ）及びポリアクリルアミド（Ｐｏｌｙａｃｒｙｌａｍｉｄｅ）よりなる群から選ばれるいずれか一つであってもよい。
【００５３】
また、前記気体は空気、窒素、ヘリウム、ネオン及びアルゴンよりなる群から選ばれるいずれか一つであることが好ましい。
【００５４】
また、前記眼内レンズの材料はシリコーン（Ｓｉｌｉｃｏｎｅ）、シリコーンエラストマ（Ｓｉｌｉｃｏｎｅ  ｅｌａｓｔｏｍｅｒ）、シリコーン  ポリマー（Ｓｉｌｉｃｏｎｅ  ｐｏｌｙｍｅｒ）、ポリジメチルシロキサン（Ｐｏｌｙｄｉｍｅｔｈｙｌ  ｓｉｌｏｘａｎｅ）、ポリプロピレン（Ｐｏｌｙｐｒｏｐｙｌｅｎｅ）、ポリイミド（Ｐｏｌｙｉｍｉｄｅ）、ポリブテステル（Ｐｏｌｙ部ｔｅｓｔｅｒ）、ＰＭＭＡ（ｐｏｌｙｍｅｔｈｙｌ  ｍｅｔｈａｃｒｙｌａｔｅ  ）、マイクロプレクス  ＰＭＭＡ（Ｍｉｃｒｏｐｌｅｘ  ＰＭＭＡ）、ＣＱ−ＵＶ  ＰＭＭＡ、アクリル樹脂（Ａｃｒｙｌｉｃ）、硬性アクリル（Ｒｉｇｉｄ  ａｃｒｙｌｉｃ）、柔軟性アクリル（Ｆｌｅｘｉｂｌｅ  ａｃｒｙｌｉｃ）、アクリルプラスチック（Ａｃｒｙｌａｔｅ  ｐｌａｓｔｉｃ）、疎水性アクリル（Ｈｙｄｒｏｐｈｏｂｉｃ  ａｃｒｙｌｉｃ）、親水性アクリル（Ｈｙｄｒｏｐｈｉｌｉｃ  ａｃｒｙｌｉｃ）、  親水性アクリル高分子（Ｈｙｄｒｏｐｈｉｌｉｃ  ａｃｒｙｌｉｃ  ｐｏｌｙｍｅｒ）、紫外線吸収アクリレート（ＵＶ  ａｂｓｏｒｂｉｎｇ  ａｃｒｙｌａｔｅ）、メタクリレートコポリマー（Ｍｅｔｈａｃｒｙｌａｔｅ  ｃｏｐｏｌｙｍｅｒ）、ブチルアクリレート（部ｔｙｌ  ａｃｒｙｌａｔｅ）、ポリシロキサンエラストマー（Ｐｏｌｙｓｉｌｏｘａｎｅ  ｅｌａｓｔｏｍｅｒ）、紫外線吸収ポリシロキサン（ＵＶ  ａｂｓｏｒｂｉｎｇ  ｐｏｌｙｓｉｌｏｘａｎｅ）、コラーゲンコポリマー（Ｃｏｌｌａｇｅｎ  ｃｏｐｏｌｙｍｅｒ）、金（Ｇｏｌｄ）、ヒドロゲル（Ｈｙｄｒｏｇｅｌ）、ＨＥＭＡ（２−ｈｙｄｒｏｘｙｅｔｈｙｌ  ｍｅｔｈａｃｒｙｌａｔｅ）、ＭＭＡ（ｍｅｔｈｙｌ  ｍｅｔｈａｃｒｙｌａｔｅ）、ＣＡＢ（ｃｅｌｌｕｌｏｓｅ  ａｃｅｔａｔｅ  部ｔｙｌａｔｅ）、２−ＨＡＭＡ（２−ｈｙｄｒｏｘｙ  ｅｔｈｙｌ  ｍｅｔｈａｃｒｙｌａｔｅ）、ＮＶＰ（ｎ−ｖｉｎｙｌ  ｐｙｒｒｏｌｉｄｏｎｅ）、ＰＶＰ（ｐｏｌｙｖｉｎｙｌ  ｐｙｒｒｏｌｉｄｏｎｅ）、ＭＡ（ｍｅｔｈａｃｒｙｌｉｃ  ａｃｉｄ）、ＧＭＡ（ｇｌｙｃｅｒｏｌ  ｍｅｔｈａｃｒｙｌａｔｅ）、ＤＭＳ（ｄｉｍｅｔｈｙｌ  ｓｉｌｏｘａｎｅ）、ＰＨＥＭＡ（ｐｏｌｙｈｙｄｒｏｘｙｅｔｈｙｌ  ｍｅｔｈａｃｒｙｌａｔｅ）、ＰＥＧＭＭＡ（ｐｏｌｙｅｔｈｙｌｅｎｅｈｌｙｃｏｌ  ｍｅｔｈａｃｒｙｌａｔｅ）、ポリＨＥＭＡヒドロゲル（Ｐｏｌｙ  ＨＥＭＡ  ｈｙｄｒｏｇｅｌ）、紫外線吸収ポリＨＥＭＡヒドロゲル（Ｐｏｌｙ  ＨＥＭＡ  ｈｙｄｒｏｇｅｌ  ｗｉｔｈ  ＵＶ  ａｂｓｏｒｐｔｉｏｎ）、シリコーンヒドロゲル（Ｓｉｌｉｃｏｎｅ  ｈｙｄｒｏｇｅｌｓ）、ＧＭＡ／ＨＥＭＡ、ＨＥＭＡ／ＰＶＰ／ＭＡ、ＰＶＡ、ＨＥＭＡ／ＰＶＡ／ＭＡ、ＨＥＭＡ／ＰＶＡ／ＭＭＡ、ＨＥＭＡ／ＭＭＡ、ＨＥＭＡ／ＮＶＰ、ＨＥＭＡ／ＮＶＰ／ＭＡ、ＨＥＭＡ／ＮＶＰ／ＭＭＡ、ＨＥＭＡ／Ａｃｒｙｌ及びＨＥＭＡ／ＰＣよりなる群から選ばれるいずれか一つで構成されてもよい。
【００５５】
また、前記眼内レンズと前記眼内レンズ支持体との間には前記眼内レンズ支持体の第２面と対向する形状の第１面と、前記眼内レンズのヘプテック（ＨＡＰＴＩＣ）部の外面と対向する形状の第２面を設ける補助支持体をさらに設けることが好ましい。
【００５６】
また、前記第１支持台のオプテック（ＯＰＴＩＣ）部側を向けた面は支持体を向けた面より厚く形成された区間を含むことが好ましい。
【００５７】
また、前記第１支持台のオプテック（ＯＰＴＩＣ）部を向けた面は支持体を向けた面より不十分に柔軟な材料で形成された区間を含むことが好ましい。
【発明の効果】
【００５８】
本発明に係る眼内レンズは毛様体筋から発生して、毛樣小帶及び水晶体嚢（Ｃａｐｓｕｌａｒ  Ｓａｃ）を介てし伝達される力を、水晶体嚢（Ｃａｐｓｕｌａｒ  Ｓａｃ）内部に挿入される眼内レンズに伝達することになり、眼内レンズが天然水晶体レンズと同様に動作することを可能にするという効果がある。
【００５９】
したがって、本発明に係る眼内レンズ支持体は白内障、老眼、高度近視などを治療するための眼内レンズ挿入手術に適用できる。同時にレーシック（ＬＡＳＩＫ：Ｌａｓｅｒ  ｉｎ  Ｓｉｔｕ  Ｋｅｒａｔｏｍｉｌｅｕｓｉｓ）及びＩＣＬ（Ｉｍｐｌａｎｔａｂｌｅ  Ｃｏｎｔａｃｔ  Ｌｅｎｓ）手術の代替効果も期待される。
【図面の簡単な説明】
【００６０】
【図１】人間の眼球を示す断面図である。
【図２】天然水晶体の構造を説明する断面図である。
【図３】遠距離を注視する場合、毛樣小帶、水晶体の相互作用を説明するための説明図である。
【図４】近距離を注視する場合、毛樣小帶、水晶体の相互作用を説明するための説明図である。
【図５】本発明の第１実施例に係る眼内レンズの斜視図である。
【図６】図３のＩ−Ｉ’線に沿った断面図である。
【図７】本発明に適用される眼内レンズの多様な変形例を示す図面である。
【図８】本発明に適用される眼内レンズの多様な変形例を示す図面である。
【図９】本発明に適用される眼内レンズの多様な変形例を示す図面である。
【図１０】本発明に適用される眼内レンズの多様な変形例を示す図面である。
【図１１】本発明の第１実施例に係る眼内レンズ支持体の斜視図である。
【図１２】図８のＩ−Ｉ’線に沿った断面図である。
【図１３】本発明に適用される眼内レンズ支持体の多様な変形例を示す図面である。
【図１４】本発明に適用される眼内レンズ支持体の多様な変形例を示す図面である。
【図１５】本発明に適用される眼内レンズ支持体の多様な変形例を示す図面である。
【図１６】本発明に適用される眼内レンズ支持体の多様な変形例を示す図面である。
【図１７】本発明の第１実施例に係る眼内レンズ支持体に第１形態の眼内レンズを結合した眼内レンズ組立体の斜視図である。
【図１８】図１１のＩ−Ｉ’線に沿った断面図である。
【図１９】本発明の第１実施例によって遠距離を注視する時の毛樣小帶、眼内レンズ、眼内レンズ支持体及び水晶体嚢（Ｃａｐｓｕｌａｒ  Ｓａｃ）の作用を説明するための説明図である。
【図２０】本発明の第１実施例によって近距離を注視する時の毛樣小帶、眼内レンズ、眼内レンズ支持体及び水晶体嚢（Ｃａｐｓｕｌａｒ  Ｓａｃ）の作用を説明するための説明図である。
【図２１】本発明の第２実施例に係る眼内レンズ組立体の斜視図である。
【図２２】図１５のＩ−Ｉ’線に沿った断面図である。
【図２３】図１５のＩＩ−ＩＩ’線に沿った断面図である。
【発明を実施するための形態】
【００６１】
以下に添付図面を参照しながら、本発明の好適な実施例について詳細に説明する。
【００６２】
図５は本発明の第１実施例に係る眼内レンズの斜視図であり、図６は図５のＩ−Ｉ’線に沿った断面図である。これによれば、眼内レンズ（１１０）は水晶体嚢（Ｃａｐｓｕｌａｒ  Ｓａｃ）内部に挿入される人工レンズであり、本実施例の眼内レンズ（１１０）はオプテック（Ｏｐｔｉｃ）（１２１）部とヘプテック（Ｈａｐｔｉｃ）部（１２３）に分かれる。
【００６３】
オプテック（Ｏｐｔｉｃ）部（１２１）は眼内レンズの中、眼の瞳孔の後に位する天然水晶体のレンズの役割を遂行する部分であり、凸レンズ形状を有する。
【００６４】
オプテック（Ｏｐｔｉｃ）部（１２１）は中心部から周辺部に行くほど厚くなる第１オプテック（Ｏｐｔｉｃ）体（１２１ａ）、及び第１オプテック（Ｏｐｔｉｃ）体（１２１ａ）と結合され、中心部において厚さが前記第１オプテック（Ｏｐｔｉｃ）体（１２１ａ）よりさらに厚い第２オプテック（Ｏｐｔｉｃ）体（１２１ｂ）を含む。この際、第１オプテック（ＯＰＴＩＣ）体（１２１ａ）及び第２オプテック（ＯＰＴＩＣ）体（１２１ｂ）の膨らみの程度（Ｃｏｎｖｅｘｉｔｙ）は人の水晶体の前方面及び後方面でのように異なることができる。すなわち、第１オプテック（ＯＰＴＩＣ）体（１２１ａ）の曲率が第２オプテック（ＯＰＴＩＣ）体（１２１ｂ）の曲率より小さくてもよい。
【００６５】
水晶体視軸方向（Ｙ方向）の仮想平面に沿って切断した断面において第１オプテック（ＯＰＴＩＣ）体（１２１ａ）の厚さ（Ｌ１）は第２オプテック（ＯＰＴＩＣ）体（１２１ｂ）の厚さ（Ｌ２）より薄く形成されることが好ましい。これは第２オプテック（ＯＰＴＩＣ）体（１２１ｂ）よりは第１オプテック（ＯＰＴＩＣ）体（１２１ａ）にさらに多くの形状変化を誘導するためである。すなわち、後述する流動空間（１３０）の流体がオプテック（ＯＰＴＩＣ）部（１２１）で集まる場合、より薄い厚さのオプテック（ＯＰＴＩＣ）部（１２１）の第１オプテック（ＯＰＴＩＣ）体（１２１ａ）がさらに膨らんでいるようにして、人の水晶体と類似の動作を確保するようにする。
【００６６】
第１オプテック（ＯＰＴＩＣ）体（１２１ａ）及び第２オプテック（ＯＰＴＩＣ）体（１２１ｂ）は中央が最も薄く、周辺に行くほど厚くなるように構成されることが好ましい。（第１オプテック（ＯＰＴＩＣ）体及び第２オプテック（ＯＰＴＩＣ）体の内面は非球面をなす。）これはより良い調節力を確保するためであり、膜の中央の厚さが薄いほど流体が中央側により多く移動して中央部のオプテック（ＯＰＴＩＣ）部の中央がさらに膨らんでいるようになるためである。
【００６７】
一方、オプテック（Ｏｐｔｉｃ）部（１２１）の形状は限定されないが、通常凸レンズ形状に設けられることが好ましく、この場合、オプテック（Ｏｐｔｉｃ）部（１２１）の直径は全体眼内レンズ（１１０）の直径の０．２〜０．８倍に構成できる。
【００６８】
オプテック（Ｏｐｔｉｃ）部（１２１）を第１オプテック（Ｏｐｔｉｃ）体（１２１ａ）と第２オプテック（Ｏｐｔｉｃ）体（１２１ｂ）の二つの切れで構成することはオプテック（Ｏｐｔｉｃ）部（１２１）の形状変形をより容易にするためである。
【００６９】
オプテック（ＯＰＴＩＣ）部（１２１）は全体眼内レンズ（１１０）の中央に位することが一般的である。ところが、縮瞳時、瞳孔の相内側の偏りがとても激しい患者のために、所定単位、例えば０．１ｍｍ単位で中心移動されるよう製作することができる。
【００７０】
また、手術時あらかじめ患者の角膜に表示された相内側または内側表示点に眼内レンズの表示点を一致させることで、眼内レンズは乱視軸を持つようになり、患者の乱視を校正することもできる。
【００７１】
ヘプテック（ＨＡＰＴＩＣ）部（１２３）はオプテック（ＯＰＴＩＣ）部（１２１）の縁部から連結され、水晶体嚢（Ｃａｐｓｕｌａｒ  ｓａｃ）の内面または後述する眼内レンズ支持体や補助支持体の内面に接合させる、少なくとも二つ以上の支柱（１２２）を含んで、水晶体嚢（Ｃａｐｓｕｌａｒ  ｓａｃ）内部にオプテック（ＯＰＴＩＣ）部（１２１）を支持させる。
【００７２】
本実施例において、ヘプテック（ＨＡＰＴＩＣ）部（１２３）は複数の支柱（１２２）と少なくとも二つ以上の支柱（１２２）のオプテック（ＯＰＴＩＣ）部の反対側の端部（１２２ｂ）をお互い連結する第１支持台（１２５）を有する。ヘプテック（ＨＡＰＴＩＣ）部（１２３）の支柱（１２２）は少なくとも二つ以上が設けられ伝達される力を釣り合うように眼内レンズ（１１０）に伝達できるようにする。
【００７３】
また、第１支持台（１２５）は眼内レンズ支持体（補助支持体）から伝達される力をより釣り合うように伝達するために設けられ、支柱（１２２）のオプテック（ＯＰＴＩＣ）部反対側の端部（１２２ｂ）が連結される環状形状体として外面は丸い形状が好ましい。この時、第１支持台（１２５）の断面は支柱（１２２）の断面の面積より大きい。  
【００７４】
一方、眼内レンズ（１１０）においてオプテック（ＯＰＴＩＣ）部（１２１）はヘプテック（ＨＡＰＴＩＣ）部の支柱を構成する材料より柔軟な材料または薄い厚さで構成されることが好ましい。これは毛様体筋で誘導された毛樣小帶の動きに従って伝達される力により效率よくオプテック（ＯＰＴＩＣ）部（１２１）の形状が変形を起こすためである。ここで  柔軟だということは軟らかくて変形がよく起きるという意味である。
【００７５】
ヘプテック（ＨＡＰＴＩＣ）部（１２３）の支柱（１２２）は相対的にオプテック（Ｏｐｔｉｃ）部（１２１）より堅い（ｒｉｇｉｄ）材料で構成されるが、機械的変形が起きるように弾性及び復原力があるようにする。この場合、より小さな眼球の切開で手術が可能である。
【００７６】
この際、オプテック（Ｏｐｔｉｃ）部（１２１）とヘプテック（ＨＡＰＴＩＣ）部（１２３）とはそれぞれお互いに異なる材質になされ、眼内レンズ（１１０）は複数の切れ（ｐｉｅｃｅ）で構成されることができる。また、オプテック（Ｏｐｔｉｃ）部（１２１）とヘプテック（ＨＡＰＴＩＣ）部（１２３）とは同じ材質でなされるものの、ただし軟性の程度だけ異にして一体（ｏｎｅ  ｐｉｅｃｅ）で構成されることができる。
【００７７】
また、ヘプテック（ＨＡＰＴＩＣ）部（１２３）の第１支持台（１２５）とヘプテック（ＨＡＰＴＩＣ）部（１２３）の支柱（１２２）とは柔軟性が同一または異なることができ、二つ以上の切れで構成され、あるいは一体で構成されることができる。第１支持台（１２５）は毛樣小帶の形状変形に伴う後述する眼内レンズ支持体の体積変化を直接反映する部分において、支柱（１２２）より柔軟性ある材料を使用する場合、第１支持台（１２５）の形状変形がさらに効率よくなるであろう。
【００７８】
一方、支柱の両端部は中央より断面積が大きいことが好ましい。これは支柱がオプテック（ＯＰＴＩＣ）部（１２１）及び第１支持台（１２５）とよく結合できるようにするためである。
【００７９】
一方、眼内レンズ（１１０）の内部には流体の流動空間（１３０）が設けられる。流動空間（１３０）は少なくとも眼内レンズ（１１０）のオプテック（ＯＰＴＩＣ）部（１２１）の内部に設けられ、前記流動空間（１３０）には流体が充填される。本図面において流動空間（１３０）はオプテック（ＯＰＴＩＣ）部（１２１）の内部に形成される第１空間部（１３１）、ヘプテック（ＨＡＰＴＩＣ）部（１２３）の支柱内部に形成される第２空間部（１３２）、及びヘプテック（ＨＡＰＴＩＣ）部（１２３）の第１支持台（１２５）に形成される第３空間部（１３５）で成されている。これに伴い、内部に充填された流体は外力によって流動空間（１３０）の第１空間部（１３１）、第２空間部（１３３）及び第３空間部（１３５）を流動する。
【００８０】
流動空間（１３０）に充填される流体は水、空気、不活性気体、シリコーン、粘弾性物質が用いられる。不活性気体の例としては窒素、ヘリウム、ネオン、アルゴンなどであり、粘弾性物質の例としてはヒアルロン酸ナトリウム（Ｓｏｄｉｕｍ  ｈｙａｌｕｒｏｎａｔｅ）、コンドロイチン硫酸（Ｃｈｏｎｄｒｏｉｔｉｎ  ｓｕｌｆａｔｅ）、ヒドロキシプロピルメチルセルロース（Ｈｙｄｒｏｘｙｐｒｏｐｙｌ  ｍｅｔｈｙｌｃｅｌｌｕｌｏｓｅ）及びポリアクリルアミド（Ｐｏｌｙａｃｒｙｌａｍｉｄｅ）などが用いられることができる。
【００８１】
第１空間部（１３１）が気体や水に満たされる時には低い屈折率のゆえにオプテック（Ｏｐｔｉｃ）部（１２１）が低い度数のレンズ役割もできるようになって、超高度近視の手術に利用されるマイナスレンズの製作も可能なことである。
【００８２】
第２空間部（１３３）は支柱（１２２）に形成される空間であり、この時に支柱（１２２）は一種の連結管と同様の役割をして第１空間部（１３１）と第３空間部（１３５）との間で流体が流動できるようにする。手術後、流体の流動が多すぎると判断される患者には第２空間部（１３３）に流体流動量を調節できる物質を注入できる。
【００８３】
第３空間部（１３５）は前述したように第１支持台（１２５）に形成される空間であり、第３空間部（１３５）は眼内レンズ支持体（２１０）の体積変化を直接に反映する部分である。
【００８４】
眼内レンズ（１１０）の材料はシリコーン（Ｓｉｌｉｃｏｎｅ）、シリコーンエラストマ（Ｓｉｌｉｃｏｎｅ  ｅｌａｓｔｏｍｅｒ）、シリコーン  ポリマー（Ｓｉｌｉｃｏｎｅ  ｐｏｌｙｍｅｒ）、ポリジメチルシロキサン（Ｐｏｌｙｄｉｍｅｔｈｙｌ  ｓｉｌｏｘａｎｅ）、ポリプロピレン（Ｐｏｌｙｐｒｏｐｙｌｅｎｅ）、ポリイミド（Ｐｏｌｙｉｍｉｄｅ）、ポリブテステル（Ｐｏｌｙ部ｔｅｓｔｅｒ）、ＰＭＭＡ（ｐｏｌｙｍｅｔｈｙｌ  ｍｅｔｈａｃｒｙｌａｔｅ  ）、マイクロプレクス  ＰＭＭＡ（Ｍｉｃｒｏｐｌｅｘ  ＰＭＭＡ）、ＣＱ−ＵＶ  ＰＭＭＡ、アクリル樹脂（Ａｃｒｙｌｉｃ）、硬性アクリル（Ｒｉｇｉｄ  ａｃｒｙｌｉｃ）、柔軟性アクリル（Ｆｌｅｘｉｂｌｅ  ａｃｒｙｌｉｃ）、アクリルプラスチック（Ａｃｒｙｌａｔｅ  ｐｌａｓｔｉｃ）、疎水性アクリル（Ｈｙｄｒｏｐｈｏｂｉｃ  ａｃｒｙｌｉｃ）、親水性アクリル（Ｈｙｄｒｏｐｈｉｌｉｃ  ａｃｒｙｌｉｃ）、  親水性アクリル高分子（Ｈｙｄｒｏｐｈｉｌｉｃ  ａｃｒｙｌｉｃ  ｐｏｌｙｍｅｒ）、紫外線吸収アクリレート（ＵＶ  ａｂｓｏｒｂｉｎｇ  ａｃｒｙｌａｔｅ）、メタクリレートコポリマー（Ｍｅｔｈａｃｒｙｌａｔｅ  ｃｏｐｏｌｙｍｅｒ）、ブチルアクリレート（部ｔｙｌ  ａｃｒｙｌａｔｅ）、ポリシロキサンエラストマー（Ｐｏｌｙｓｉｌｏｘａｎｅ  ｅｌａｓｔｏｍｅｒ）、紫外線吸収ポリシロキサン（ＵＶ  ａｂｓｏｒｂｉｎｇ  ｐｏｌｙｓｉｌｏｘａｎｅ）、コラーゲンコポリマー（Ｃｏｌｌａｇｅｎ  ｃｏｐｏｌｙｍｅｒ）、金（Ｇｏｌｄ）、ヒドロゲル（Ｈｙｄｒｏｇｅｌ）、ＨＥＭＡ（２−ｈｙｄｒｏｘｙｅｔｈｙｌ  ｍｅｔｈａｃｒｙｌａｔｅ）、ＭＭＡ（ｍｅｔｈｙｌ  ｍｅｔｈａｃｒｙｌａｔｅ）、ＣＡＢ（ｃｅｌｌｕｌｏｓｅ  ａｃｅｔａｔｅ  部ｔｙｌａｔｅ）、２−ＨＡＭＡ（２−ｈｙｄｒｏｘｙ  ｅｔｈｙｌ  ｍｅｔｈａｃｒｙｌａｔｅ）、ＮＶＰ（ｎ−ｖｉｎｙｌ  ｐｙｒｒｏｌｉｄｏｎｅ）、ＰＶＰ（ｐｏｌｙｖｉｎｙｌ  ｐｙｒｒｏｌｉｄｏｎｅ）、ＭＡ（ｍｅｔｈａｃｒｙｌｉｃ  ａｃｉｄ）、ＧＭＡ（ｇｌｙｃｅｒｏｌ  ｍｅｔｈａｃｒｙｌａｔｅ）、ＤＭＳ（ｄｉｍｅｔｈｙｌ  ｓｉｌｏｘａｎｅ）、ＰＨＥＭＡ（ｐｏｌｙｈｙｄｒｏｘｙｅｔｈｙｌ  ｍｅｔｈａｃｒｙｌａｔｅ）、ＰＥＧＭＭＡ（ｐｏｌｙｅｔｈｙｌｅｎｅｈｌｙｃｏｌ  ｍｅｔｈａｃｒｙｌａｔｅ）、ポリＨＥＭＡヒドロゲル（Ｐｏｌｙ  ＨＥＭＡ  ｈｙｄｒｏｇｅｌ）、紫外線吸収ポリＨＥＭＡヒドロゲル（Ｐｏｌｙ  ＨＥＭＡ  ｈｙｄｒｏｇｅｌ  ｗｉｔｈ  ＵＶ  ａｂｓｏｒｐｔｉｏｎ）、シリコーンヒドロゲル（Ｓｉｌｉｃｏｎｅ  ｈｙｄｒｏｇｅｌｓ）、ＧＭＡ／ＨＥＭＡ、ＨＥＭＡ／ＰＶＰ／ＭＡ、ＰＶＡ、ＨＥＭＡ／ＰＶＡ／ＭＡ、ＨＥＭＡ／ＰＶＡ／ＭＭＡ、ＨＥＭＡ／ＭＭＡ、ＨＥＭＡ／ＮＶＰ、ＨＥＭＡ／ＮＶＰ／ＭＡ、ＨＥＭＡ／ＮＶＰ／ＭＭＡ、ＨＥＭＡ／Ａｃｒｙｌ及びＨＥＭＡ／ＰＣ等の素材が使用できる。
【００８５】
本発明において、眼内レンズは多様に変形可能である。すなわち、図７、図８、図９及び図１０のような眼内レンズが用いられる。
【００８６】
図７は眼内レンズに流動空間が備わらず、支持台が支柱の各端部に形成された眼内レンズの垂直断面図である。この時、オプテック（ＯＰＴＩＣ）部（２２１）は中心部から周辺部に行くほど厚くなる第１オプテック（ＯＰＴＩＣ）体（２２１ａ）、及び前記第１オプテック（ＯＰＴＩＣ）体（２２１ａ）と結合され中心部での厚さが前記第１オプテック（ＯＰＴＩＣ）体（２２１ａ）より厚い第２オプテック（ＯＰＴＩＣ）体（２２１ｂ）を含む。一方、オプテック（ＯＰＴＩＣ）部（２２１）の形状は制限がないが、通常、凸レンズ形状に設けられることが好ましい。この場合、オプテック（ＯＰＴＩＣ）部（２２１）の直径は全体眼内レンズ（２１０）の直径の０．２〜０．８倍に構成できる。
【００８７】
オプテック（Ｏｐｔｉｃ）部（２２１）を第１オプテック（Ｏｐｔｉｃ）体（２２１ａ）と第２オプテック（Ｏｐｔｉｃ）体（２２１ｂ）の２つの切れで構成することはオプテック（Ｏｐｔｉｃ）部（２２１）の形状変形をより容易にするためである。
【００８８】
第１オプテック（Ｏｐｔｉｃ）体（２２１ａ）の厚さは第２オプテック（Ｏｐｔｉｃ）体（２２１ｂ）の厚さより薄い。これはオプテック（Ｏｐｔｉｃ）部（２２１）に機械的または流体的な力が伝達される場合、実際の水晶体において前面の形状変形がさらに多いことのように、第１オプテック（Ｏｐｔｉｃ）体（２２１ａ）の形状変形が第２オプテック（Ｏｐｔｉｃ）体（１２１ｂ）よりさらに誘導されるようにするためである。
【００８９】
また、第２オプテック（ＯＰＴＩＣ）体（１２１ｂ）の厚さ（Ｌ１、Ｌ２）は、機械式では中心部がより厚いことが有利である。これも、天然水晶体の構造を取ったことであり、オプテック（Ｏｐｔｉｃ）部の中央部が周辺部より形状変形を容易にし、さらに天然水晶体と類似に機能するためである。
【００９０】
ヘプテック（ＨＡＰＴＩＣ）部（２２３）はオプテック（Ｏｐｔｉｃ）部（２２１）の縁部から連結され、ヘプテック（ＨＡＰＴＩＣ）部（２２３）は複数の支柱（２２２）を有する。ヘプテック（ＨＡＰＴＩＣ）部（２２３）の支柱（２２２）は少なくとも二つ以上が設けられ伝達される力を釣り合うように眼内レンズ（１１０）に伝達できるようする。
【００９１】
この際、第１支持台（２２５）は支柱のオプテック（ＯＰＴＩＣ）部反対側の端部（２２２ｂ）を少なくとも二つ以上連結する構造体であり、オプテック（ＯＰＴＩＣ）部反対側の端部（２２２ｂ）を連結する場合環状構造体になるであろう。
【００９２】
図８は眼内レンズのヘプテック（ＨＡＰＴＩＣ）部の支柱が第１支持台及び第２支持台に連結される眼内レンズの垂直平面図である。
【００９３】
眼内レンズ（３１０）は広くオプテック（ＯＰＴＩＣ）部（３２１）とヘプテック（ＨＡＰＴＩＣ）部（３２３）で構成され、オプテック（ＯＰＴＩＣ）部（３２１）は前述した第１実施例と同様に構成されることができる。ヘプテック（ＨＡＰＴＩＣ）部（３２３）はオプテック（ＯＰＴＩＣ）部（３２１）の縁部の少し内側から連結され、第１支持台（３２５）、第２支持台（３２７）、及び支柱（３２２）を含んで構成される。
【００９４】
ヘプテック（ＨＡＰＴＩＣ）部（３２３）の支柱（３２２）は少なくとも二つ以上が設けられ、伝達される力を釣り合うように眼内レンズ（３１０）に伝達できるようにする。
【００９５】
第１支持台（３２５）は前述した実施例と同様に眼内レンズ支持体（または補助支持体）から伝えられる力をさらに釣り合うように伝達するために設けられ、支柱（３２２）のオプテック（ＯＰＴＩＣ）部反対側の端部（３２２ｂ）が連結する環状形状体であり、外面は丸い形状が好ましくて、中に流動空間を含むことができる。
【００９６】
ここで第１支持台（３２５）をより大きく設ければ毛樣小帶の動きに敏感になるので、後述のように、眼内レンズ（３１０）の流圧による調節力はさらに大きくなり、より小さく設ければ眼内レンズの流圧による調節力はさらに小さくなるが、機械力による調節力が大きくなる。
【００９７】
第２支持台（３２７）は眼内レンズ（３１０）のヘプテック（ＨＡＰＴＩＣ）部支柱（３２２）のオプテック（Ｏｐｔｉｃ）部側の端部（３２２ａ）をお互いに連結し、支柱（６２２）に安全性を付与し、支柱（３２２）を通じて伝達される力をオプテック（Ｏｐｔｉｃ）部（３２１）により均衡的に伝達する。この際、第２支持台（３２７）は支柱（３２２）のオプテック（Ｏｐｔｉｃ）部側の端部（３２２ａ）を連結し、あるいは端部辺りの支柱（３２２）をお互いに連結する構造体であることができる。オプテック（ＯＰＴＩＣ）部（３２１）に流動空間が形成される場合、第１オプテック（ＯＰＴＩＣ）体（３２１ａ）及び第２オプテック（ＯＰＴＩＣ）体（３２１ｂ）のみが合って圧搾される後述するオプテック（ＯＰＴＩＣ）接合部（３２１ｃ）のすぐ内側に位置するようになる。
【００９８】
オプテック（Ｏｐｔｉｃ）部（３２１）とヘプテック（ＨＡＰＴＩＣ）部（３２３）の材料を異なるように使用する場合、図示されたように支柱（３２２）のオプテック（Ｏｐｔｉｃ）部（３２１）側の端部（３２２ａ）は機械的な調節力を極大化し、製作の時にオプテック（Ｏｐｔｉｃ）部（３２１）の安定のためオプテック（Ｏｐｔｉｃ）部（３２１）内部に一部分含まれることができる。この際、オプテック（ＯＰＴＩＣ）部（３２１）は製作時に前面及び背面のみが合って圧搾され、流動空間と関係のない周辺部のオプテック（ＯＰＴＩＣ）接合部（３２１ｃ）が形成される。
【００９９】
この後、オプテック（ＯＰＴＩＣ）接合部（３２１ｃ）は機械的または流圧的な変形が少なくなり、オプテック（ＯＰＴＩＣ）部（３２１）の中心部がより効率よくまたは集中的に機械的または流圧的な変形が発生することである。
【０１００】
また、支柱（３２２）のオプテック（Ｏｐｔｉｃ）部側の端部（３２１ａ）は多様な形状を有することができ、この形状によって機械力による調節力が差があることができる。すなわち、機械力によるオプテック（Ｏｐｔｉｃ）部（３２１）の変形は、支柱（３２２）のオプテック（Ｏｐｔｉｃ）部側の端部（３２２ａ）によるオプテック（Ｏｐｔｉｃ）部（３２１）への繋がれる形状と位置によって作用力の差があり、その作用力を大きくすればオプテック（Ｏｐｔｉｃ）部（３２１）の形状変化は大きくなるが安定性が低下し、その作用力を小さくすればオプテック（Ｏｐｔｉｃ）（３２１）部の形状変化は小さいが安全性はより優秀になる。
【０１０１】
一方、支柱（３２２）のオプテック（Ｏｐｔｉｃ）部側の端部（３２１ａ）は膨らんでいる円錐、膨らんでいる球、円柱、凹んでいる球、凹んでいる円錐の多様な形状を持つことができ、この形状によって前述した機械力による調節力に差がある。本実施例は拡大絵において円柱を示している。一方、ヘプテック（ＨＡＰＴＩＣ）部（３２３）の支柱（３２２）は相対的にオプテック（Ｏｐｔｉｃ）部（３２１）、第１支持台（３２５）及び第２支持台（３２７）より堅い（ｒｉｇｉｄ）材料で構成するが、機械的変形が起きるように弾性及び復原力があるようにする。また、第１及び第２支持台（３２５、３２７）よりはオプテック（Ｏｐｔｉｃ）部（３２１）を構成する材料がより柔軟な材料で構成されることが好ましい。これにより、毛様体筋から誘導された毛樣小帶の動きに従って伝達される力により、效率よくオプテック（Ｏｐｔｉｃ）部の形状が変形を起こすためである。ここで柔軟だということは軟らかくて変形がよく起きるという意味である。
【０１０２】
図９は眼内レンズのヘプテック（ＨＡＰＴＩＣ）部がディスク形状の構造体である眼内レンズの斜視図である。この場合、連結台（４２２）の端部に形成される支持台（４２５）はディスク形状構造体の外周全体にかけ形成される環状構造体になり、または外周の一定区間にだけ形成されることができる。
【０１０３】
図１０は連結台（５２２）がオプテック（ＯＰＴＩＣ）部（５２１）の一区間にだけ連結され分割されたディスク形状の構造体で構成される眼内レンズ（５１０）を示している。
【０１０４】
一方、図１１は前述した眼内レンズに適合した眼内レンズ支持体の一実施例の斜視図である。
【０１０５】
これによれば、眼内レンズ支持体（１４０）は第１面（１４１）と第２面（１４３）を含み、第１面（１４１）と第２面（１４３）は閉鎖された環状の構造体を成し、第１面（１４１）を成す膜と第２面（１４３）を成す膜との間には空間が形成される。第１面（１４１）を成す膜と第２面（１４３）の材料及び厚さに制限はないが、一般に柔軟性のある材料を使用し、あるいはさらに薄い材料を使用する場合、そうでない場合より眼内レンズ支持体の毛樣小帶の動きによる形状変形能力がさらに大きくなるであろう。
【０１０６】
一方、第１面（１４１）及び第２面（１４３）はお互いに同一の材料及び／または厚さで形成されてもよく、お互いに異なる材料及び／または厚さで形成されてもよい。
【０１０７】
毛樣小帶の動きによる形状変形能力をより向上させるために、第１面（１４１）は前記第２面（１４３）よりさらに柔軟性のある材質で構成されてもよい。また、第１面（１４１）と第２面（１４３）の材質が同一の場合、前記第１面（１４１）が前記第２面（１４３）よりさらに薄く構成されてもよい。
【０１０８】
一方、空の空間に第１面（１４１）と第２面（１４３）を成す材料と同一材料の固体を形成する場合には、第１面（１４１）と第２面（１４３）との間に隙間なく眼内レンズ支持体（１４０）の全体が一体に形成されるであろう。
【０１０９】
眼内レンズ支持体（１４０）は環状構造体を成し、第１面（１４１）は環状構造体の外面を、第２面（１４３）は環状構造体の内面を成すので、第１面（１４１）の水晶体の赤道（Ｘ方向）の仮想平面に沿った断面への全体延長長さは第２面（１４３）の全体延長長さより長い。
【０１１０】
また、眼内レンズ支持体（１４０）の直径は水晶体嚢（Ｃａｐｓｕｌａｒ  ｓａｃ）の内面直径とほぼ同一であり、その直径は人によって多少流動的であるが、およそ９ｍｍ〜１３ｍｍであり、眼内レンズ支持体の赤道部の直径は患者の水晶体の赤道部の内面直径と同一であることが好ましい。
【０１１１】
眼内レンズ支持体の材料はシリコーン（Ｓｉｌｉｃｏｎｅ）、シリコーンエラストマ（Ｓｉｌｉｃｏｎｅ  ｅｌａｓｔｏｍｅｒ）、シリコーン  ポリマー（Ｓｉｌｉｃｏｎｅ  ｐｏｌｙｍｅｒ）、ポリジメチルシロキサン（Ｐｏｌｙｄｉｍｅｔｈｙｌ  ｓｉｌｏｘａｎｅ）、ポリプロピレン（Ｐｏｌｙｐｒｏｐｙｌｅｎｅ）、ポリイミド（Ｐｏｌｙｉｍｉｄｅ）、ポリブテステル（Ｐｏｌｙｂｕｔｅｓｔｅｒ）、ＰＭＭＡ（ｐｏｌｙｍｅｔｈｙｌ  ｍｅｔｈａｃｒｙｌａｔｅ  ）、マイクロプレクス  ＰＭＭＡ（Ｍｉｃｒｏｐｌｅｘ  ＰＭＭＡ）、ＣＱ−ＵＶ  ＰＭＭＡ、アクリル樹脂（Ａｃｒｙｌｉｃ）、硬性アクリル（Ｒｉｇｉｄ  ａｃｒｙｌｉｃ）、柔軟性アクリル（Ｆｌｅｘｉｂｌｅ  ａｃｒｙｌｉｃ）、アクリルプラスチック（Ａｃｒｙｌａｔｅ  ｐｌａｓｔｉｃ）、疎水性アクリル（Ｈｙｄｒｏｐｈｏｂｉｃ  ａｃｒｙｌｉｃ）、親水性アクリル（Ｈｙｄｒｏｐｈｉｌｉｃ  ａｃｒｙｌｉｃ）、  親水性アクリル高分子（Ｈｙｄｒｏｐｈｉｌｉｃ  ａｃｒｙｌｉｃ  ｐｏｌｙｍｅｒ）、紫外線吸収アクリレート（ＵＶ  ａｂｓｏｒｂｉｎｇ  ａｃｒｙｌａｔｅ）、メタクリレートコポリマー（Ｍｅｔｈａｃｒｙｌａｔｅ  ｃｏｐｏｌｙｍｅｒ）、ブチルアクリレート（ｂｕｔｙｌ  ａｃｒｙｌａｔｅ）、ポリシロキサンエラストマー（Ｐｏｌｙｓｉｌｏｘａｎｅ  ｅｌａｓｔｏｍｅｒ）、紫外線吸収ポリシロキサン（ＵＶ  ａｂｓｏｒｂｉｎｇ  ｐｏｌｙｓｉｌｏｘａｎｅ）、コラーゲンコポリマー（Ｃｏｌｌａｇｅｎ  ｃｏｐｏｌｙｍｅｒ）、金（Ｇｏｌｄ）、ヒドロゲル（Ｈｙｄｒｏｇｅｌ）、ＨＥＭＡ（２−ｈｙｄｒｏｘｙｅｔｈｙｌ  ｍｅｔｈａｃｒｙｌａｔｅ）、ＭＭＡ（ｍｅｔｈｙｌ  ｍｅｔｈａｃｒｙｌａｔｅ）、ＣＡＢ（ｃｅｌｌｕｌｏｓｅ  ａｃｅｔａｔｅ  ｂｕｔｙｌａｔｅ）、２−ＨＡＭＡ（２−ｈｙｄｒｏｘｙ  ｅｔｈｙｌ  ｍｅｔｈａｃｒｙｌａｔｅ）、ＮＶＰ（ｎ−ｖｉｎｙｌ  ｐｙｒｒｏｌｉｄｏｎｅ）、ＰＶＰ（ｐｏｌｙｖｉｎｙｌ  ｐｙｒｒｏｌｉｄｏｎｅ）、ＭＡ（ｍｅｔｈａｃｒｙｌｉｃ  ａｃｉｄ）、ＧＭＡ（ｇｌｙｃｅｒｏｌ  ｍｅｔｈａｃｒｙｌａｔｅ）、ＤＭＳ（ｄｉｍｅｔｈｙｌ  ｓｉｌｏｘａｎｅ）、ＰＨＥＭＡ（ｐｏｌｙｈｙｄｒｏｘｙｅｔｈｙｌ  ｍｅｔｈａｃｒｙｌａｔｅ）、ＰＥＧＭＭＡ（ｐｏｌｙｅｔｈｙｌｅｎｅｈｌｙｃｏｌ  ｍｅｔｈａｃｒｙｌａｔｅ）、ポリＨＥＭＡヒドロゲル（Ｐｏｌｙ  ＨＥＭＡ  ｈｙｄｒｏｇｅｌ）、紫外線吸収ポリＨＥＭＡヒドロゲル（Ｐｏｌｙ  ＨＥＭＡ  ｈｙｄｒｏｇｅｌ  ｗｉｔｈ  ＵＶ  ａｂｓｏｒｐｔｉｏｎ）、シリコーンヒドロゲル（Ｓｉｌｉｃｏｎｅ  ｈｙｄｒｏｇｅｌｓ）、ＧＭＡ／ＨＥＭＡ、ＨＥＭＡ／ＰＶＰ／ＭＡ、ＰＶＡ、ＨＥＭＡ／ＰＶＡ／ＭＡ、ＨＥＭＡ／ＰＶＡ／ＭＭＡ、ＨＥＭＡ／ＭＭＡ、ＨＥＭＡ／ＮＶＰ、ＨＥＭＡ／ＮＶＰ／ＭＡ、ＨＥＭＡ／ＮＶＰ／ＭＭＡ、ＨＥＭＡ／Ａｃｒｙｌ及びＨＥＭＡ／ＰＣ  などが使用できる。
【０１１２】
図１２は図１１のＩ−Ｉ’線に沿った断面図である。図８に示すように、第１面（１４１）は水晶体嚢（Ｃａｐｓｕｌａｒ  ｓａｃ）の内面に少なくとも一点以上で接する面であって、第１面（１４１）は水晶体嚢（Ｃａｐｓｕｌａｒ  ｓａｃ）の前嚢と後嚢にそれぞれ対応する区間であり、赤道（Ｅ）によって区分される前面部（１４１ａ）と後面部（１４１ｂ）を有する。
【０１１３】
水晶体の視軸方向（Ｙ方向）の仮想平面を沿って切断した断面において、第１面（１４１）の前面部（１４１ａ）は後面部（１４１ｂ）より大きい曲率を有する。これは第１面（１４１）の水晶体の視軸方向（Ｙ方向）の仮想平面に沿って切断した断面が天然水晶体レンズの赤道部断面形状と同一の形状を持つようにするためであり、前述したように、水晶体中央部の前方面は後方面より小さい曲率を持っているが赤道部に接近しながら曲率が変わる形状だからである。
【０１１４】
より好ましく、第１面（１４１）は手術患者固有の水晶体の断面形状と同様に形成される。手術前患者の水晶体の断面形状は超音波映像、ＣＴ及びＭＲＩ等に撮影することができ、第１面（１４１）の断面形状は散瞳時と縮瞳時の中間程度の断面形状、または３〜４ｍｍの瞳孔サイズ時の水晶体の断面形状と一致する形状を持つことができる。
【０１１５】
したがって、第１面（１４１）は水晶体嚢（Ｃａｐｓｕｌａｒ  Ｓａｃ）の赤道部内面と形状がお互いに一致する。
【０１１６】
水晶体の視軸方向（Ｙ方向）の仮想平面を沿って切断された断面において、第１面（１４１）は水晶体嚢（Ｃａｐｓｕｌａｒ  Ｓａｃ）の外面に毛樣小帶が連結された領域の断面の長さ（ｄ５、図１９参照）の３／４倍〜３倍の長さで設けられることが好ましい。３／４倍より小さい場合には毛樣小帶の動きに従って伝達される力を眼内レンズに效率よく伝達することができず、３倍を大きい場合には、眼内レンズのオプテック（Ｏｐｔｉｃ）部を遮るおそれがある。
【０１１７】
より好ましく、水晶体の視軸方向（Ｙ方向）の仮想平面に沿って切断された断面において、赤道（Ｅ）から前面部（１４１ａ）の終点までの延長長さ（ｄ１）及び赤道から後面部（１４１ｂ）の終点までの延長長さ（ｄ２）は通常１ｍｍ〜４．２ｍｍである。４．２ｍｍ超過の場合には、手術の際に挿入し難くなり、オプテック（Ｏｐｔｉｃ）部が非常に小さくなるという問題点があり、１ｍｍ未満の場合には支持体が毛樣小帶の第２小帶が水晶体嚢（Ｃａｐｓｕｌａｒ  Ｓａｃ）に連結される地点より内側に設けられ、毛様体筋から発生して毛樣小帶の動きに従って伝達される力を眼内レンズに適切に伝達することができないため、眼内レンズ支持体の体積変化が十分に行われないという問題点がある。この際、第１面（１４１）の水晶体の視軸方向（Ｙ方向）の仮想平面を沿って切断した断面の全体長さは２ｍｍ〜８．４ｍｍである。この際、赤道（Ｅ）から前面部（１４１ａ）の終点までの延長長さ（ｄ１）と赤道（Ｅ）から後面部（１４１ｂ）の終点までの延長長さ（ｄ２）とは同一または異なるが、通常ｄ２の長さがｄ１の長さより短い。
【０１１８】
一方、第１面（１４１）には眼内レンズ支持体が水晶体嚢（Ｃａｐｓｕｌａｒ  Ｓａｃ）によく装着されるように、表面粗さを高くし、あるいは別途の装着材を使用することができる。これにより、眼内レンズ支持体が安定な位置で固定できる。装着材としては例えば、組織グルー（Ｔｉｓｓｉｅ  Ｇｌｕｅ）またはグルー（Ｇｌｕｅ）が使用できる。
【０１１９】
第２面（１４３）は眼内レンズが合する面として、第２面（１４３）の水晶体視軸方向（Ｙ方向）の仮想平面に沿って切断した断面における全体延長長さ（ｄ４）は第１面（１４１）の全体延長長さ（ｄ３＝ｄ１＋ｄ２）と同一またはより短くする。第２面（１４３）の水晶体視軸方向（Ｙ方向）の仮想平面に沿って切断した断面における全体延長長さ（ｄ３）を第１面（１４１）の全体延長長さ（ｄ４＝ｄ１＋ｄ２）と同一または短くすることは、毛樣小帶から第１面（１４１）に伝達される力を第２面（１４３）に伝達する時に増幅または維持させるためである。
【０１２０】
すなわち、第２面（１４３）より第１面（１４１）の延長長さが短いため、第１面（１４１）の動きに従ってより多くの動きと体積変化が誘導される。第１面（１４１）に毛樣小帶からＦ１の力が伝達される場合、第２面（１４３）に伝達される力はＦ２（＝ｋＦ１、ｋ≧１）となるためである。この際、ｋはｄ３とｄ４の長さ比によって決められる定数である。ｄ３とｄ４の長さ比は患者の毛樣小帶の能力によって異なり、およそｄ４の長さはｄ３の長さの０．４〜１であることが好ましい。
【０１２１】
第１面（１４１）と第２面（１４３）との間の空間内部には気体、液体または固体が充填される。気体としては空気、及び例えば窒素、アルゴン、ネオン、ヘリウムなどの不活性気体が挙げられ、液体としては水、シリコーン、ヒアルロン酸ナトリウム（Ｓｏｄｉｕｍ  ｈｙａｌｕｒｏｎａｔｅ）、コーンドロイチン硫酸（Ｃｈｏｎｄｒｏｉｔｉｎ  ｓｕｌｆａｔｅ）、ヒドロキシプロピルメチルセルロース（Ｈｙｄｒｏｘｙｐｒｏｐｙｌ  ｍｅｔｈｙｌｃｅｌｌｕｌｏｓｅ）及びポリアクリルアミド（Ｐｏｌｙａｃｒｙｌａｍｉｄｅ）等が挙げられる。
【０１２２】
第１面（１４１）と第２面（１４３）との間の空間（１４５）に充填される材料として、流動性の高い物質を使用する場合、そうでない物質を使用する場合より眼内レンズ支持体の毛樣小帶の動きによる形状変形能力がさらに大きくなる。
【０１２３】
本発明において眼内レンズ支持体は多様に変形可能である。すなわち、図１３、図１４、図１５、図１６のような眼内レンズ支持体が使用されることができる。
【０１２４】
図１３は眼内レンズ支持体内部に空間が形成されない眼内レンズ支持体を示していて、図１４は図１３のＩ−Ｉ’線に沿った断面図である。この場合、眼内レンズ支持体（２４０）は機械的な変形だけで毛樣小帶の動きを眼内レンズの形状変形に誘導する特徴がある。
【０１２５】
図１５の眼内レンズ支持体（３４０）は閉鎖された環状の構造体であって少なくとも一つ以上の区間に他の区間より高い柔軟性を示す柔軟性連結部（３５０）を持つ。
【０１２６】
柔軟性連結部（３５０）は水晶体嚢（Ｃａｐｓｕｌａｒ  ｓａｃ）のより小さい切開領域であって、眼内レンズ支持体（３４０）を水晶体嚢（Ｃａｐｓｕｌａｒ  ｓａｃ）への挿入を可能にする。すなわち、眼内レンズ支持体（３４０）を水晶体嚢（Ｃａｐｓｕｌａｒ  ｓａｃ）に挿入する場合、柔軟性連結部（３５０）が曲げられることにより、小さい切開部分を介しても眼内レンズ支持体（３１０）を挿入することができる。
【０１２７】
図１６の眼内レンズ支持体（４４０）は閉鎖された環状構造ではなく、開放された環状構造を取り、同時に少なくとも一つ以上の柔軟性連結部（４５０）を有する。これにより、より切開部分を小さくしながらも、眼内レンズを水晶体嚢の内部に挿入することができる。
【０１２８】
図１７は本発明に係る眼内レンズ支持体に眼内レンズを結合した場合を示す斜視図であり、図１８は図１１のＩ−Ｉ’線に沿った断面図である。
【０１２９】
これによれば、眼内レンズ（１１０）は眼内レンズ支持体（１４０）により支持されるが、眼内レンズ支持体（１４０）の第２面（１４３）と水晶体嚢（Ｃａｐｓｕｌａｒ  ｓａｃ）内部に挿入された眼内レンズ（１１０）のヘプテック（ＨＡＰＴＩＣ）部（１２３）の支持台（１２５）が眼内レンズの第２面（１４３）とお互いに接しながら、眼内レンズ（１１０）が眼内レンズ支持体（１４０）の環状の内部に位置する。
【０１３０】
以下からは添付図面を参照しながら本発明の第１実施例に係る眼内レンズ組立体の作用を説明する。
【０１３１】
図１９及び図２０は本発明の第１実施例に係り、それぞれ遠距離と近距離を注視する時に毛樣小帶、眼内レンズ、眼内レンズ支持体及び水晶体嚢（Ｃａｐｓｕｌａｒ  ｓａｃ）の作用を説明するための説明図である。
【０１３２】
毛樣小帶（１７０）は水晶体嚢（Ｃａｐｓｕｌａｒ  Ｓａｃ）（１８０）の外面に連結され、毛樣小帶（１７０）は赤道周囲の領域で連結される。本明細書では毛樣小帶（１７０）が連結される領域を毛樣小帶連結領域（Ｚ）という。
【０１３３】
遠距離を注視する時には毛樣小帶（１７０）のうち水晶体嚢（Ｃａｐｓｕｌａｒ  Ｓａｃ）（１８０）の毛樣小帶連結領域（Ｚ）の中央に連結される第１小帶（１７３）はぴんと張っており、水晶体嚢（Ｃａｐｓｕｌａｒ  Ｓａｃ）（１８０）の毛樣小帶連結領域（Ｚ）赤道部の周辺に連結される第２小帶（１７１）は緩んでいる。
【０１３４】
この際、水晶体嚢（１８０）の赤道部が水晶体の半径方向（Ｘ）に伸びることになり、水晶体嚢（Ｃａｐｓｕｌａｒ  ｓａｃ）に接した眼内レンズ支持体（１４０）の第１面（１４１）の形状も水晶体の半径方向に伸びる。そして、眼内レンズ支持体（１４０）の第２面（１４３）も第１面（１４１）の形状変形に対応して変形になり、これに接触したヘプテック（ＨＡＰＴＩＣ）部（１２２）の支持台（１２５）も半径方向に伸びる。したがって、支持台（１２５）と連結された眼内レンズ（１１０）、特に柔軟性のあるオプテック（ＯＰＴＩＣ）部（１２１）も同一の方向に伸びて、オプテック（ＯＰＴＩＣ）部（１２１）がより少なく膨らむことになる。
【０１３５】
また、眼内レンズ（１１０）の流動空間（１３０）に入っている流体も外力を受けるようになり、遠距離を注視する時には眼内レンズ（１１０）が水晶体の半径方向に伸びるので、流動空間（１３０）の流体が第１空間部（１３１）、及び第２空間部（１３３）よりは第３空間部（１３５）に多く分布するようになる。これに伴い、より一層效率よく眼内レンズ（１１０）のオプテック（ＯＰＴＩＣ）部（１２１；１２１ａ、１２１ｂ）の形状を変形させ、オプテック（ＯＰＴＩＣ）部（１２１）がより少なく膨らむようにする。
【０１３６】
近距離を注視する時には毛樣小帶のうち、水晶体嚢（Ｃａｐｓｕｌａｒ  Ｓａｃ）（１８０）の毛樣小帶連結領域（Ｚ）の中央に連結される第１小帶（１７３）は緩んでおり、水晶体嚢（Ｃａｐｓｕｌａｒ  Ｓａｃ）（１８０）の毛樣小帶連結領域（Ｚ）の周辺に連結される第２小帶（１７１）はぴんと張っている。
【０１３７】
したがって、水晶体嚢（Ｃａｐｓｕｌａｒ  Ｓａｃ）（１８０）の赤道部が水晶体の視軸方向（Ｙ方向）に膨らむことになり、内部に位置した弾性を持つ眼内レンズ（１１０）も同じ方向（Ｙ方向）に伸びて近距離を見ることに適合した形状に変形する。
【０１３８】
同時に眼内レンズ（１１０）の流動空間に入っている流体も外力を受け、近距離を注視する時には眼内レンズ（１１０）の支持台の柔軟領域に力が加えられるので、第３空間部（１３５）の流体が第２空間部（１３３）を通じ第１空間部（１３１）において集まるようになる。これにより、さらに效率よく眼内レンズ（１１０）のオプテック（Ｏｐｔｉｃ）部（１２１）の形状を変形させ、オプテック（Ｏｐｔｉｃ）（１２１）部が膨らむことになるようにする。
【０１３９】
また、オプテック（Ｏｐｔｉｃ）部（１２１）の第１空間部（１３１）に流体が集まる場合、第１オプテック（Ｏｐｔｉｃ）体（１２１ａ）の厚さが第２オプテック（Ｏｐｔｉｃ）体（１２１ｂ）の厚さより薄く形成されているので、オプテック（ＯＰＴＩＣ）部（１２１）は前面側により膨らんでいる。これにより、さらに実際の眼の構造とより類似に眼内レンズの変形が起きる。したがって、本実施例に係る眼内レンズ組立体は毛樣小帶から伝達される力が眼内レンズ（１１０）に機械的に伝達されるだけでなく、流圧的に伝達され眼内レンズ（１１０）のオプテック（Ｏｐｔｉｃ）部（１２１）の厚さが效率よく調節になって、毛様体筋の能力が低下した場合にも效果よく眼内レンズの形状を調節できる。
【０１４０】
このように、本実施例に係る眼内レンズ組立体を使用する場合、この眼内レンズ組立体は眼内レンズ（１１０）の厚さが天然水晶体と同様に調節できるようになる。すなわち、天然的な水晶体の厚さが毛樣小帶に連結された水晶体嚢（Ｃａｐｓｕｌａｒ  ｓａｃ）（１８０）の作用によって調節されるのと同様に、本実施例に係る眼内レンズ組立体を使用する場合に眼内レンズも厚さが調節できる。
【０１４１】
特に、本実施例では流圧による作用力と合せて機械力による作用力が 相補的に作用する。より柔軟性のある材料やより薄い材料、またはより柔軟な媒質の流体を使用するほど、流圧によるオプテック（Ｏｐｔｉｃ）部（１２１）の変形はより大きくなり、不十分に柔軟性ある材料やより厚い材料またはよりよくない媒質の流体を使用するほど、機械力によるオプテック（Ｏｐｔｉｃ）部（１２１）の変形が大きくなる。
【０１４２】
機械力によるオプテック（Ｏｐｔｉｃ）部（１２１）の変形は支柱のオプテック（Ｏｐｔｉｃ）部側の端部（１２２ａ）によるオプテック（Ｏｐｔｉｃ）部（１２１）への挿入される形状と位置によって作用力に差が出て、その作用力を大きくすればオプテック（Ｏｐｔｉｃ）部（１２１）の形状変化は大きくなるけれど安定性が低下し、その作用力を小さくすればオプテック（Ｏｐｔｉｃ）部の形状変化は小さいけれど安全性はより優秀になる。
【０１４３】
機械力よりは流圧によるオプテック（Ｏｐｔｉｃ）部（１２１）の変形能力が遥かに大きいので、適当な材料と流体を選択することで眼内レンズの調節能力を調整することができる。
【０１４４】
調節能力がとても大きい眼内レンズはオプテック（Ｏｐｔｉｃ）（１２１）部の過度な変形の繰り返しと薄い材質のため寿命が長続きしない短所はあるが、調節能力が著しく落ちた、すなわち、非常に年上の患者に適当である。
【０１４５】
また、調節能力が中程度の眼内レンズは寿命が長続きする長所があるので、若い年齢の高度近視校正用に適当である。図２１は本発明の第２実施例に係る眼内レンズ組立体の斜視図であり、図２２は図２１のＩ−Ｉ’線に沿った断面図であり、図２２は図２１のＩＩ−ＩＩ’線に沿った断面図である。本実施例において第１実施例と同一の構成要素に対しては同一の符号を附与する。
【０１４６】
これによれば、本実施例に係る眼内レンズ組立体は眼内レンズ（１１０）と眼内レンズ支持体（１４０）との間に別途の補助支持体（１９０）がさらに設けられる。補助支持体（１９０）は眼内レンズ支持体（１４０）の第２面（１１３）と対向する形状の第１面（１１１）と、眼内レンズ（１１０）のヘプテック（ＨＡＰＴＩＣ）部（１２１）の第１支持台（１２５）外面と対向する形状の第２面（１１３）を設ける。
【０１４７】
補助支持体（１９０）は水晶体嚢（Ｃａｐｓｕｌａｒ  ｓａｃ）（１８０）から眼内レンズ（１１０）に伝達される力を緩衝させると同時に、眼内レンズ（１１０）が眼内レンズ支持体（１４０）によく固定できるようにする。
【０１４８】
補助支持体（１９０）の材料は前述した眼内レンズ（１１０）及び眼内レンズ支持体（１４０）の材料と同一の材料を使用できる。
【０１４９】
以下、本実施例においては図８と同様に第２支持台が形成された眼内レンズを使用した場合で説明する。
【０１５０】
特に、図２３において第１支持台（１２５）のオプテック（ＯＰＴＩＣ）部側を向けた面は眼内レンズ支持体（１４０）を向けた面より厚く形成された区間を含む。この際、第１支持台（１２５）のオプテック（ＯＰＴＩＣ）部（１２１）を向けた面は眼内レンズ支持体（１４０）に向けた面より不十分に柔軟な材料を使用できる。これはオプテック（ＯＰＴＩＣ）部（１２１）側に向けた面をより少し柔軟にし、支柱を支持台に堅く付着させることができるホイールと同一の役割をするようにするためである。
【０１５１】
また、第２支持台（１２７）がオプテック（ＯＰＴＩＣ）部（１２１）と接する面はオプテック（ＯＰＴＩＣ）部（１２１）の赤道面と対応される形状、すなわち、オプテック（ＯＰＴＩＣ）部（１２１）中心に向け、凹んでいる形状で構成されている。これにより、毛樣小帶から伝達される力をオプテック（ＯＰＴＩＣ）部（１２１）により効率よく伝達できることである。
【０１５２】
前述した本発明の実施例に係る眼内レンズは前述したように、一体で製作され、あるいはいくつかの切りで製作されることができる。例えば、一体で製作する場合には各種のプラスチック成形方法を利用し製造でき、いくつかの切りで製造する場合にも各切りを接着剤、熱、レーザーなどを利用し接着させることによって容易に製造できることである。
【０１５３】
本発明について好適な実施例を参照して記述及び説明したが、種々の変形または修正が本発明の要旨と範囲から逸脱することなく可能である。
【０１５４】
前述した本発明の権利範囲は請求の範囲で決められるべきであり、明細書の本文の記載に拘束されず、請求の範囲の均等範囲に属する変形及び変更はいずれも本発明の範囲に属する。
【符号の説明】
【０１５５】
１０  角膜
２０  紅彩
３０  瞳孔
４０  網膜
５０  水晶体
６０  毛様体筋
７０  毛樣小帶
７１  第２小帶
７３  第１小帶
８０  水晶体嚢（Ｃａｐｓｕｌａｒ  ｓａｃ）
１１０  眼内レンズ
１２１  オプテック（ＯＰＴＩＣ）部
１２２  支柱
１２３  ヘプテック（ＨＡＰＴＩＣ）部
１２５  第１支持台
１３０  流動空間
１３１  第１空間部
１３３  第２空間部
１３５  第３空間部
１４０  眼内レンズ支持体
１４１  第１面
１４３  第２面
１７０  毛樣小帶
１８０  水晶体嚢（Ｃａｐｓｕｌａｒ  ｓａｃ）
【図１】
2010520011.tif 000003
【図２】
2010520011.tif 000004
【図３】
2010520011.tif 000005
【図４】
2010520011.tif 000006
【図５】
2010520011.tif 000007
【図６】
2010520011.tif 000008
【図７】
2010520011.tif 000009
【図８】
2010520011.tif 000010
【図９】
2010520011.tif 000011
【図１０】
2010520011.tif 000012
【図１１】
2010520011.tif 000013
【図１２】
2010520011.tif 000014
【図１３】
2010520011.tif 000015
【図１４】
2010520011.tif 000016
【図１５】
2010520011.tif 000017
【図１６】
2010520011.tif 000018
【図１７】
2010520011.tif 000019
【図１８】
2010520011.tif 000020
【図１９】
2010520011.tif 000021
【図２０】
2010520011.tif 000022
【図２１】
2010520011.tif 000023
【図２２】
2010520011.tif 000024
【図２３】
2010520011.tif 000025
【国際調査報告】
2010520011.tif 000026
2010520011.tif 000027